(57)【要約】【課題】従来の機器管理制御システムは、個人の好みに合わせて制御対象機器を制御することはできても、複数のユーザが部屋にいる場合を考慮したものではなかった。【解決手段】本発明は、部屋に入室したユーザの識別情報を複数取得して記憶する管理装置と、前記管理装置から複数の前記ユーザの識別情報を取得し、取得した前記ユーザの識別情報の組み合わせに応じた制御内容を選択し、選択した前記制御内容の動作を制御対象機器に実行させる機器制御装置と、を備えることを特徴とする。【選択図】図１
2017069671.tif 000002
【特許請求の範囲】
【請求項１】
部屋に入室したユーザの識別情報を複数取得して記憶する管理装置と、
前記管理装置から複数の前記ユーザの識別情報を取得し、取得した前記ユーザの識別情報の組み合わせに応じた制御内容を選択し、選択した前記制御内容の動作を制御対象機器に実行させる機器制御装置と、
を備えることを特徴とする機器管理制御システム。
【請求項２】
前記識別情報に基づいて前記部屋の扉を解錠する電子錠装置を備え、
前記管理装置は、
前記部屋の扉を解錠したユーザの識別情報を前記電子錠装置から取得することを特徴とする請求項１に記載の機器管理制御システム。
【請求項３】
前記機器制御装置は、
取得した複数の前記ユーザの識別情報のうち、予め決められた優先度に従ってユーザを選択し、選択したユーザの識別情報に対応する前記制御対象機器の制御内容をさらに選択することを特徴とする請求項１に記載の機器管理制御システム。
【請求項４】
前記機器制御装置は、
取得した複数の前記ユーザの識別情報のグループに対応する制御内容を選択することを特徴とする請求項１に記載の機器管理制御システム。
【請求項５】
部屋に入室したユーザの識別情報を複数取得し、取得した前記ユーザの識別情報の組み合わせに基づき、対応する制御対象機器の制御内容を選択し、選択した制御内容で制御対象機器を制御する機器制御部と、
を備えることを特徴とする機器制御装置。
【発明の詳細な説明】
【技術分野】
【０００１】
本発明は、複数のユーザに応じて制御対象の機器を制御する機器管理制御システム、及び機器制御装置を提供する。
【背景技術】
【０００２】
従来から、遠隔操作手段を用いて家電等の制御対象機器の制御内容をユーザの好みに合わせて自動的に設定できるようにした遠隔制御システムが存在する（例えば、特許文献１）。
【先行技術文献】
【特許文献】
【０００３】
【特許文献１】特開２００５―１８４３８８号公報
【発明の概要】
【発明が解決しようとする課題】
【０００４】
しかしながら、特許文献１に記載の遠隔制御システムは、個人の好みに合わせて制御対象機器を制御することはできても、複数のユーザが部屋にいる場合を考慮したものではなかった。
【０００５】
本発明の機器管理制御システム及び機器管理装置は、上記のような課題を解決するためになされたもので、部屋に入室した複数のユーザに応じて、機器を制御することを目的とする。
【課題を解決するための手段】
【０００６】
本発明の機器管理制御システムは、部屋に入室したユーザの識別情報を複数取得して記憶する管理装置と、前記管理装置から複数の前記ユーザの識別情報を取得し、取得した前記ユーザの識別情報の組み合わせに応じた制御内容を選択し、選択した前記制御内容の動作を制御対象機器に実行させる機器制御装置と、を備えることを特徴とする。
【０００７】
本発明の機器制御装置は、部屋に入室したユーザの識別情報を複数取得し、取得した前記ユーザの識別情報の組み合わせに基づき、対応する制御対象機器の制御内容を選択し、選択した制御内容で制御対象機器を制御する機器制御部と、を備えることを特徴とする。
【発明の効果】
【０００８】
本発明に係る機器管理制御システム及び機器制御装置は、複数のユーザの識別情報の組み合わせに基づき、対応する制御対象機器の制御内容を選択し、選択した制御内容で制御対象機器を制御するので、部屋に入室した複数のユーザを考慮した制御を制御対象機器に実行させることができる。
【図面の簡単な説明】
【０００９】
【図１】実施の形態１に係る機器管理制御システムの構成図である。
【図２】実施の形態１に係る管理装置の機能ブロック図である。
【図３】実施の形態１に係る機器制御装置の機能ブロック図である。
【図４】実施の形態１に係る機器管理制御システムの動作フローチャート。
【発明を実施するための形態】
【００１０】
実施の形態１．
以下、図１を用いて、実施の形態１に係る機器管理制御システムの構成について説明する。図１は実施の形態１に係る機器管理制御システムの構成図である。図１において、機器管理制御システム１は、住宅内の部屋に入室した複数のユーザに応じて、後述する制御対象機器２の制御を実行する。機器管理制御システム１は、ユーザ端末１１、電子錠装置１２、管理装置１３、及び機器制御装置１４を備える。なお、ここでいう部屋とは、壁で閉ざされた領域だけでなく、住宅又はオフィス内等の開放された特定の領域も含む。
【００１１】
ユーザ端末１１は、無線通信の送受信部（図示せず）を有し、各ユーザ個人が持つ端末である。例えば、スマートフォン等がこれに相当する。ユーザ端末１１は、後述する電子錠装置１２にユーザの識別情報を送信する。ここで、識別情報とは、少なくともユーザ端末１１を識別することが可能なシリアル番号等である。以下の説明においては、ユーザ端末１１は機器管理制御システム１を利用するユーザ毎に異なるものを使用することを前提としている。すなわち、各ユーザが固有の識別情報を送信するユーザ端末１１をそれぞれ所持しているため、ユーザ端末１１の識別情報はユーザの識別情報となる。
【００１２】
電子錠装置１２は、部屋を仕切る扉の電子錠の解錠及び施錠を行う。具体的には、電子錠装置１２は、入室しようとするユーザのユーザ端末１１から送信された識別情報に基づいて、入室しようとするユーザが予め設定された解錠権利を有するユーザであるか否かを判定する。例えば、電子錠装置１２は、予め解錠権利を有するユーザの識別情報を記憶しておき、ユーザ端末１１から送信された識別情報が記憶されたユーザの識別情報と一致する場合に、入室しようとするユーザが解錠権利を有するユーザであると判断する。電子錠装置１２は、扉の解錠及び施錠を行い、解錠した場合には、ユーザの識別情報を後述する管理装置１３に送信する。このように、電子錠装置１２は、電子錠を解錠して部屋に入室したユーザの識別情報を管理装置１３に送信するので、部屋に入室した後にユーザ端末１１と通信を行うことなく、管理装置１３及び後述する機器制御装置１４が部屋に入室したユーザを把握することができる。なお、本実施の形態における機器管理制御システム１において、電子錠装置１２は、必ずしも部屋を仕切る扉の電子錠の解錠及び施錠を行う装置でなくともよい。例えば、ユーザ端末１１と通信して入退室管理を行う装置であってもよい。また、電子錠装置１２は、ユーザ端末１１と通信することにより特定の領域を通過したユーザを検出する装置でもよい。
【００１３】
管理装置１３は、電子錠装置１２から取得した識別情報を記憶し、後述する制御対象機器２が設置された部屋に入室したユーザの識別情報を管理する。また、後述する制御対象機器２を制御する際には、ユーザの識別情報を機器制御装置１４に送信する。
【００１４】
ここで、図２を用いて管理装置１３の構成について説明する。図２は、実施の形態１に係る管理装置の機能ブロック図である。管理装置１３は、入力部１３１、識別情報記憶部１３２、出力部１３３を備える。入力部１３１は、電子錠装置１２から送られた識別情報を取得する。識別情報記憶部１３２は、取得した識別情報を記憶する。また、出力部１３４は、機器制御装置１４が制御対象機器２を制御する際に、識別情報記憶部１３３に記憶されている識別情報を出力する。
【００１５】
なお、管理装置１３は、ユーザが部屋に入室した際に電子錠装置１２から取得した識別情報を記憶するものとしたが、ユーザが部屋から退出した場合には、電子錠装置１２から退出したことを示す情報とともに、退出したユーザの識別情報を取得して識別情報記憶部１３２から識別情報を削除するようにしてもよい。管理装置１３は、退出したユーザの識別情報を識別情報記憶部１３２から削除することによって、退出して既に部屋にいないユーザについても把握することができる。
【００１６】
機器制御装置１４は、管理装置１３から識別情報を取得し、この識別情報の組み合わせに基づいて制御対象機器２を制御する。なお、本実施の形態においては、後述する家電機器２１、住宅内設備機器２２、及びＡＶ（Ａｕｄｉｏ  ｖｉｓｕａｌ）機器２３を総称して制御対象機器２とする。家電機器２１は、例えばエアコン、冷蔵庫、掃除機やＩＨ（Ｉｎｄｕｃｔｉｏｎ  Ｈｅａｔｅｒ）クッキングヒーター等、ネットワークに接続された機器をいう。また、住宅内設備機器２２は、ネットワークに接続された換気扇、空調システム、照明機器、エコキュート等である。ＡＶ機器２３は、例えば、ネットワークに接続されたテレビ、ＨＤＤ（Ｈａｒｄ  Ｄｉｓｋ  Ｄｒｉｖｅ）レコーダー、ＰＣ（Ｐｅｒｓｏｎａｌ  Ｃｏｍｐｕｔｅｒ）、プロジェクター、オーディオテレビ等である。また、制御対象機器２は、家電機器２１、住宅内設備機器２２、及びＡＶ機器２３に限らず、スマートハウスと連携しているＥＶ（Ｅｌｅｃｔｒｉｃ  Ｖｅｈｉｃｌｅ）等、ネットワークに接続可能な製品であればよい。
【００１７】
ここで、図３を用いて機器制御装置１４の構成について説明する。図３は、実施の形態１に係る機器制御装置１４の機能ブロック図である。機器制御装置１４は、受信部１４２１、制御部１４２２、コンテンツ管理部１４２３、制御内容記憶部１４２４、送信部１４２５を備える。なお、本実施の形態において、制御部１４２２、及びコンテンツ管理部１４２３とを含めて機器制御部とする。
【００１８】
受信部１４２１は、管理装置１３から取得した識別情報を制御部１４２２及びコンテンツ管理部１４２３に出力する。
【００１９】
制御内容記憶部１４２４は、予め１つ又は複数の識別情報と、制御対象機器２の制御内容を示す制御情報とを対応づけて記憶している。このように、制御内容記憶部１４２４は、１つ又は複数の識別情報と制御情報とを対応づけておくので、後述する制御部１４２２又はコンテンツ管理部１４２３が取得した複数の識別情報の組み合わせに応じて制御情報を選択することができる。
【００２０】
制御部１４２２は、家電機器２１、住宅内設備機器２２、及びＡＶ機器２３の動作を制御する。例えば、制御部１４２２は、各機器の電源のＯＮ/ＯＦＦ、設定変更等を制御する。制御部１４２２は、取得した識別情報の組み合わせに対応する制御情報を制御内容記憶部１４２４に記憶された複数の制御情報から選択し、選択した制御情報に応じた信号を家電機器２１、住宅内設備機器２２、ＡＶ機器２３に送信する。
【００２１】
コンテンツ管理部１４２３は、ＡＶ機器２３がアクセスできるコンテンツを制御する。例えば、コンテンツ管理部１４２３は、登録されている音楽、映画、ドラマ、録画したテレビ番組、あるいはコンサートのライブ映像やゲームなどのコンテンツに対して、ＡＶ機器２３がアクセスできるコンテンツを制御する。アクセスできるコンテンツを制御する際には、コンテンツ管理部１４２３は、取得した識別情報の組み合わせに対応する制御情報を制御内容記憶部１４２４に記憶された複数の制御情報から選択し、選択した制御情報に応じた信号を制御対象機器２のＡＶ機器２３に送信する。また、アクセスできるコンテンツの制御には、ユーザが購入したコンテンツの制御及び、オンライン上で誰もが無料でアクセスできるコンテンツの制御だけでなく、料金を定額で払うようなネットテレビや音楽配信サービスなどのコンテンツも含まれる。
【００２２】
次に、図４を用いて実施の形態１に係る機器管理制御システムの動作について説明する。図４は、実施の形態１に係る機器管理制御システムの動作フローチャートである。
【００２３】
ＳＴ１において、ユーザ端末１１は、ユーザが保有するユーザの識別情報を電子錠装置１２に送信する。
【００２４】
ＳＴ２において、電子錠装置１２は、ユーザ端末１１から取得した識別情報と予め記憶されている解錠権利を有するユーザの識別情報とが合致するかどうかを判定する。ここで、ユーザ端末１１取得した識別情報が解錠権利を有するユーザ端末１１の識別情報として記憶されていなかった場合（ＮＯ）、機器管理制御システム１は処理を終了する。一方、ユーザ端末１１から取得した識別情報と、予め記憶されている解錠権利を有するユーザの識別情報とが合致した場合（ＹＥＳ）、機器管理制御システム１はステップＳＴ３の処理を実行する。
【００２５】
ＳＴ３において、電子錠装置１２は、部屋を仕切る扉の電子錠の解錠を行い、ユーザ端末１１から取得した識別情報を管理装置１３へ送信する。
【００２６】
ＳＴ４において、管理装置１３は、電子錠装置１２から取得した識別情報を制御内容記憶部１４２４に記憶するとともに、取得した識別情報を機器制御装置１４に送信する。併せて、管理装置１３は、過去に取得した識別情報、すなわち、先に部屋に入室し、現在部屋に存在するユーザの識別情報についても機器制御装置１４に出力する。なお、ＳＴ１から４は、ユーザが住宅内の部屋を仕切る扉の電子錠の解錠を行う毎に実行される。
【００２７】
なお、ＳＴ４において、管理装置１３は、部屋に入室したユーザの識別情報と、既に部屋に存在しているユーザの識別情報との両方を送信するものとしたが、必ずしも既に部屋に存在しているユーザの識別情報を送信する必要はない。ＳＴ４において、ユーザが部屋に入室する毎に、入室したユーザの識別情報を送信し、機器制御装置１４が有する記憶部（図示せず）に記憶させるようにしてもよい。
【００２８】
ＳＴ５、６において、機器制御装置１４は複数の識別情報の組み合わせに応じて制御対象機器２の制御を行う。以下、ＳＴ５、６における３つの制御パターンについて説明する。
【００２９】
〈制御パターン１〉
ＳＴ５において、機器制御装置１４の制御部１４２２又はコンテンツ管理部１４２３は、管理装置１３から識別情報を取得し、制御内容記憶部１４２４を参照してこの識別情報に対応する制御情報を選択する。例えば、ＳＴ３において入室したユーザが父親であり、制御内容記憶部１４２４には、父親の識別情報に対して「ロボット掃除機の電源ＯＮ」を示す制御情報が対応づけられているとする。この場合、制御部１４２２は、父親の識別情報に対応する制御情報「ロボット掃除機の電源ＯＮ」を選択する。
【００３０】
ＳＴ６において、機器制御装置１４の制御部１４２２又はコンテンツ管理部１４２３は、管理装置１３から現在部屋に存在するユーザの識別情報を取得し、制御内容記憶部１４２４を参照してこの識別情報に対応する制御情報を選択する。例えば、父親が部屋に入室した際に、既に部屋に１５才未満の子供がおり、制御内容記憶部１４２４には、子供の識別情報に対して「Ｒ１５コンテンツへのアクセス不可」を示す制御情報が対応づけられているとする。この場合、コンテンツ管理部１４２３は、子供の制御情報に対応する制御情報「Ｒ１４コンテンツへのアクセス不可」を選択する。
【００３１】
〈制御パターン２〉
ＳＴ５、ＳＴ６において、機器制御装置１４の制御部１４２２又はコンテンツ管理部１４２３は、入室してきたユーザの識別情報及び既に部屋にいるユーザの識別情報からそれぞれ識別情報を取得する。このとき、制御内容記憶部１４２４には、複数のユーザの識別情報のグループに対して共通の制御内容が対応づけられているものとする。例えば、ユーザＡ、ユーザＢの識別情報を有するグループには、制御情報「会議Ｘの資料をＰＣに表示」が対応づけられ、ユーザＢ、ユーザＣの識別情報を有するグループには、制御情報「会議Ｙの資料をＰＣに表示」が対応付けられているとする。制御部１４２２又はコンテンツ管理部１４２３は、管理装置１３からユーザＡとユーザＢの識別情報を取得した場合には、制御内容記憶部１４２４に記憶された制御情報「会議Ｘの資料をＰＣに表示」を選択し、制御対象機器２に「会議Ｘの資料をＰＣに表示」の制御を実行させる。一方、制御部１４２２又はコンテンツ管理部１４２３は、管理装置１３からユーザＢとユーザＣの識別情報を取得した場合には、制御内容記憶部１４２４に記憶された制御情報「会議Ｙの資料をＰＣに表示」を選択し、制御対象機器２に「会議Ｙの資料をＰＣに表示」の制御を実行させる。
【００３２】
〈制御パターン３〉
ＳＴ５、６において、制御部１４２２又はコンテンツ管理部１４２３には、予め決められた識別情報の優先度を設定しておく。制御部１４２２又はコンテンツ管理部１４２３は、取得した識別情報のうち、優先度の１番高い識別情報に対応する制御情報を選択し、この制御情報に応じて制御対象機器２を制御する。例えば、制御部１４２２、コンテンツ管理部１４２３には、ユーザＡ、ユーザＢ、ユーザＣの順で優先度が設定されているとする。また、制御内容記憶部１４２４には、ユーザＡの識別情報に制御情報「エアコンの設定温度２５℃」、ユーザＢの識別情報には制御情報「エアコンの設定温度２７℃」、ユーザＣの識別情報には制御情報「エアコンの設定温度２３℃」がそれぞれ対応づけられているとする。制御部１４２２は、ユーザＡ、Ｂの識別情報を取得した場合には、ユーザＡに対応する識別情報「エアコンの設定温度２５℃」を選択する。一方、ユーザＢ、Ｃの識別情報を取得した場合には、「エアコンの設定温度２７℃」を選択する。なお、機器制御装置１４は、上記制御パターン１から３を組み合わせて実行することも可能である。
【００３３】
ＳＴ７において、制御部１４２２又はコンテンツ管理部１４２３は、制御情報に対応する制御内容を示す信号を送信部１４２５に出力させ、制御対象機器２を制御する。制御パターン１の例では、送信部１４２５は父親及び子供の制御情報に対応する制御内容「ロボット掃除機の電源ＯＮ」「Ｒ１５コンテンツへのアクセス不可」を制御対象機器２に送信し、制御対象機器２にこれらの制御を実行させる。このようにして、本実施の形態に係る機器管理制御システムは、部屋に入室したユーザの識別情報の組み合わせに応じた制御を制御対象機器２に実行させる。
【００３４】
以上のように、実施の形態１に係る機器管理制御システムは、複数のユーザの識別情報の組み合わせに基づき、対応する制御対象機器の制御内容を選択し、選択した制御内容で制御対象機器を制御するので、部屋に入室した複数のユーザを考慮した制御を制御対象機器に実行させることができる。
【００３５】
なお、ユーザ端末１１は、識別情報とともにユーザ端末１１に記憶されているユーザの体重や健康状態等の補足情報を送信するようにしてもよい。この場合、電子錠装置１２は識別情報とともに補足情報を対応づけて管理装置１３に出力する。また、管理装置１３は、取得した識別情報と補足情報とを識別情報記憶部１３２に記憶する。機器制御装置１４は、識別情報記憶部１３２に記憶された複数の識別情報の組み合わせに応じて制御対象機器２を制御するとともに、補足情報に含まれるユーザの体重や健康状態等に基づいて制御対象機器２を制御する。例えば、機器制御装置１４は、識別情報の組み合わせに応じた制御情報がエアコンを２６℃に設定する制御であった場合に、補足情報で示されるユーザの健康状態が正常時よりも悪い場合には、２℃あげる等の制御を行う。このように、機器管理制御システム１は、補足情報に含まれるユーザの健康状態等に応じて制御内容を変更することができる。
【００３６】
電子錠装置１２は、予め記憶されている識別情報以外にも、任意のユーザ端末１１でも解錠できるように、識別情報の追加、又は削除等、識別情報を機器管理制御システム１の管理者により更新できるようにしてもよい。また、電子錠装置１２は、ユーザを認証する際に、スマートフォン等のユーザ端末１１によるものだけでなく、指紋認証、声認証など、ユーザ端末１１を用いない認証方法で電子錠の解錠を行い、解錠したユーザ固有の識別情報を管理装置１３に送信するよう構成してもよい。
【００３７】
機器制御装置１４で選択する制御内容は、ユーザが任意で制御の条件を変更できる。例えば、母親がリビングの電子錠を解錠した場合にエアコンの温度を２℃上げるような設定を追加することもできるし、家族全員がリビングの電子錠を解錠した場合に、家族全員が好みのＹｏｕＴｕｂｅ（登録商標）のようなオンライン動画プラットフォームのコンテンツのみ表示するように制御することもできる。また、家族の誰かが嫌悪感を抱くようなホラーシーンが含まれるコンテンツを非表示にし、未成年に相応しくない動画を非表示にすることも可能である。
【００３８】
また、制御部１４２２及びコンテンツ管理部１４２３は、１つの機器制御装置１４に含まれるものとしたが、これに限られず、異なる機器に分離して設けられてもよい。
【００３９】
制御内容記憶部１４２４は、機器制御装置１４に設けられるものとしたが、外部に設けられるものでもよい。
【００４０】
また、コンテンツ管理部１４２３は、クラウドサーバに登録されているコンテンツへのアクセス権限をコントロールしてもよい。
【符号の説明】
【００４１】
１  機器管理制御システム、２  制御対象機器、１１  ユーザ端末、１２  電子錠装置、１３  管理装置、１４  機器制御装置、２１  家電機器、２２  住宅内設備機器、２３  ＡＶ機器、１３１  入力部、１３２  識別情報記憶部、１３３  出力部、１４２１  受信部、１４２２  制御部、１４２３  コンテンツ管理部、１４２４  制御内容記憶部、１４２５  送信部
【図１】
2017069671.tif 000003
【図２】
2017069671.tif 000004
【図３】
2017069671.tif 000005
【図４】
2017069671.tif 000006